(57)【要約】【課題】下シェルおよびシャッタ部材の間からの塵埃の侵入を阻止し得るカートリッジケースを提供する。【解決手段】上シェル３とディスクアクセス用の開口部が形成された下シェル４（下シェル本体２１ａ，２１ｂ）とを備えて両シェル３，４を重ね合わせて形成したカートリッジ本体の収容空間内に開口部を閉塞するシャッタ部材６，６が収容されると共に、カートリッジ本体内における上シェル３とシャッタ部材６，６との間に光ディスク１０を収容可能に構成され、下シェル４は、非組立状態において、その底板２２の中央部が組立状態における収容空間側に凹むように湾曲している。【選択図】図５
2007018626.tif 000002
【特許請求の範囲】
【請求項１】
第１シェルとディスクアクセス用の開口部が形成された第２シェルとを備えて当該両シェルを重ね合わせて形成したカートリッジ本体の収容空間内に前記開口部を閉塞するシャッタ部材が収容されると共に、前記カートリッジ本体内における前記第１シェルと前記シャッタ部材との間に情報記録媒体を収容可能に構成され、
前記第２シェルは、非組立状態において、その主板の中央部が組立状態における前記収容空間側に凹むように湾曲しているカートリッジケース。
【請求項２】
前記第２シェルは、前記第１シェルに別個独立して取り付け可能に構成されると共に当該第２シェルの前記主板を各々の主板で形成可能な２つのシェル本体を備えて、前記取付状態において当該両シェル本体の間に前記開口部が形成可能に構成され、
前記各シェル本体は、前記非組立状態において、前記各主板の前記開口部側の中央部が組立状態における前記収容空間側に凹むように湾曲している請求項１記載のカートリッジケース。
【請求項３】
請求項１または２記載のカートリッジケースにおける前記収容空間内にディスク状の前記情報記録媒体が収容されて構成されているディスクカートリッジ。
【発明の詳細な説明】
【技術分野】
【０００１】
本発明は、第１シェルおよび第２シェルを備えたカートリッジ本体内にシャッタ部材が収容されたカートリッジケース、およびそのカートリッジケース内にディスク状の情報記録媒体が収容されたディスクカートリッジに関するものである。
【背景技術】
【０００２】
この種のカートリッジケースを備えたディスクカートリッジとして、カートリッジ筐体（カートリッジ本体）内にシャッタ部材と光ディスクとが収容されたディスクカートリッジが特開２００２−５０１４７号公報に開示されている。このディスクカートリッジでは、上シェル（第１シェル）、中シェル（ディスクトレイ）および下シェル（第２シェル）を重ね合せることによってカートリッジ筐体が形成され、このカートリッジ筐体内におけるディスク収納室内に光ディスクと一対のシャッタ部材とが収容されて構成されている。この場合、同公報における第２の実施例のディスクカートリッジでは、その開口長が光ディスクの直径よりも長い略長方形状の開口部（ディスクアクセス用の開口部）が下シェルおよび中シェルに形成され、光ディスクに対する２つの光学ヘッドの同時のディスクアクセスが可能に構成されている。
【０００３】
このディスクカートリッジでは、記録再生装置に装填されることによって上シェルおよび下シェルに対して中シェルが回動させられて下シェルおよび中シェルの両開口部がカートリッジ筐体の厚み方向において連通させられる。同時に、中シェルに軸支されている両シャッタ部材が中シェルに対して回動させられてシャッタ部材による開口部の閉塞が解除される。これにより、カートリッジ筐体内の光ディスクに対するディスクアクセスが許容される。一方、このディスクカートリッジを記録装置から取り出した際には、上シェルおよび下シェルに対して装填時とは逆向きに中シェルが回動させられて下シェルの開口部における長手方向の両端側が中シェルによって閉塞される。同時に、中シェルに軸支されている両シャッタ部材が装填時とは逆向きに回動させられて開口部における長手方向の中央部が両シャッタ部材によって閉塞される。これにより、中シェルおよび両シャッタ部材によって下シェルの開口部における全域が閉塞されて光ディスクに対するディスクアクセスが規制される。
【特許文献１】特開２００２−５０１４７号公報（第３−１３頁、図１−２６）
【発明の開示】
【発明が解決しようとする課題】
【０００４】
ところが、従来のディスクカートリッジには、以下の問題点がある。すなわち、従来のディスクカートリッジでは、中シェルと相俟って下シェルの開口部を閉塞するシャッタ部材が中シェルに軸支されてカートリッジ筐体内に収容されている。この場合、この種のディスクカートリッジでは、中シェルをスムーズに回動させるために、上シェルと中シェルとの間、および下シェルと中シェルとの間に僅かな隙間が生じるように構成されている。したがって、ディスクカートリッジ内において中シェルが上シェル側に位置しているときには、中シェルに軸支されているシャッタ部材が中シェルと共に上シェル寄りに位置する結果、下シェルにおける開口部の口縁と、シャッタ部材の表面との間に隙間が生じる。このため、従来のディスクカートリッジには、下シェル（第２シェル）とシャッタ部材との間に生じた隙間からカートリッジ筐体内に塵埃が侵入して光ディスクに付着し、これに起因して記録再生エラーを招くおそれがあるという問題点が存在する。
【０００５】
本発明は、かかる問題点に鑑みてなされたものであり、第２シェルおよびシャッタ部材の間からの塵埃の侵入を阻止し得るカートリッジケースおよびディスクカートリッジを提供することを主目的とする。
【課題を解決するための手段】
【０００６】
上記目的を達成すべく本発明に係るカートリッジケースは、第１シェルとディスクアクセス用の開口部が形成された第２シェルとを備えて当該両シェルを重ね合わせて形成したカートリッジ本体の収容空間内に前記開口部を閉塞するシャッタ部材が収容されると共に、前記カートリッジ本体内における前記第１シェルと前記シャッタ部材との間に情報記録媒体を収容可能に構成され、前記第２シェルは、非組立状態において、その主板の中央部が組立状態における前記収容空間側に凹むように湾曲している。
【０００７】
また、本発明に係るカートリッジケースは、前記第１シェルに別個独立して取り付け可能に構成されると共に当該第２シェルの前記主板を各々の主板で形成可能な２つのシェル本体を備えて前記取付状態において当該両シェル本体の間に前記開口部が形成可能に前記第２シェルが構成され、前記各シェル本体は、前記非組立状態において、前記各主板の前記開口部側の中央部が組立状態における前記収容空間側に凹むように湾曲している。
【０００８】
また、本発明に係るディスクカートリッジは、上記のいずれかのカートリッジケースにおける前記収容空間内にディスク状の前記情報記録媒体が収容されて構成されている。
【発明の効果】
【０００９】
本発明に係るカートリッジケースによれば、非組立状態において、主板の中央部が組立状態における収容空間側に凹むように第２シェルの主板を湾曲させたことにより、非組立状態において湾曲している第２シェルを第１シェルに取り付けることによって第２シェルの主板における中央部の裏面がシャッタ部材の表面に押し付けられる結果、組立状態において第２シェルとシャッタ部材との間に隙間が生じる事態を回避することができる。したがって、このカートリッジケース内にディスク状の情報記録媒体を収容して構成したディスクカートリッジによれば、カートリッジケース内への塵埃の侵入を阻止することができるため、情報記録媒体に対する塵埃の付着に起因する記録再生エラーの発生を回避することができる。
【００１０】
また、本発明に係るカートリッジケースによれば、非組立状態において、各主板の開口部側の中央部が組立状態における収容空間側に凹むように各シェル本体の各主板を湾曲させたことにより、非組立状態において収容空間側に凹むように湾曲している各シェル本体を第１シェルに取り付けることによって主板における開口部側の中央部の裏面がシャッタ部材の表面に押し付けられる結果、組立状態において各シェル本体とシャッタ部材との間に隙間が生じる事態を回避することができる。したがって、カートリッジケース内への塵埃の侵入を阻止することができる。
【発明を実施するための最良の形態】
【００１１】
以下、添付図面を参照して、本発明に係るカートリッジケースおよびディスクカートリッジの最良の形態について説明する。
【００１２】
図１，２に示すディスクカートリッジ１は、各種記録データの記録および再生が可能に構成されたカートリッジ式の情報記録媒体であって、ディスクトレイ５およびシャッタ部材６，６などが光ディスク１０（本発明における「ディスク状の情報記録媒体」の一例）と共にカートリッジケース２内に収容されて構成されている。また、カートリッジケース２は、互いに嵌合可能に（重ね合わせが可能に）形成された上シェル３および下シェル４を備えている。なお、このカートリッジケース２では、上シェル３および下シェル４が相俟って本発明におけるカートリッジ本体を構成し、両シェル３，４を重ね合わせることによって本発明における収容空間が形成される。また、実際には、光ディスク１０をチャッキングするためのプレートや、プレートを回動可能の保持する保持具等が光ディスク１０と共にカートリッジケース２内（収容空間内）に収容されているが、本発明についての理解を容易とするために、これらについての図示および説明を省略する。上シェル３は、本発明における第１シェルに相当し、図２に示すように、天板１２と、天板１２の外縁部に立設されてカートリッジケース２の側面部分を構成する側壁１３と、カートリッジケース２内（収容空間内）にディスク収容部を形成する隔壁（図示せず）とを備えて構成されている。この上シェル３は、一例として、光透過性を有するポリカーボネートを用いて射出成形されている。
【００１３】
下シェル４は、本発明における第２シェルに相当し、図１に示すように、本発明におけるシェル本体に相当する一対の下シェル本体２１ａ，２１ｂを備えて、一例として、ポリカーボネートやＡＢＳ樹脂等の樹脂材料を用いて射出成形されている。具体的には、下シェル４（下シェル本体２１ａ，２１ｂ）は、本発明における各シェル本体の主板に相当する底板２２と、底板２２の外縁部に立設されて上シェル３の側壁１３と相俟ってカートリッジケース２の側面部分を構成する側壁２３と、上シェル３の隔壁と相俟ってカートリッジケース２内にディスク収容部を形成する隔壁（図示せず）とを備えている。また、下シェル４は、上シェル３に嵌合させた状態（上シェル３に重ね合わせて一体化させた状態）において、両下シェル本体２１ａ，２１ｂにおける底板２２，２２の間にディスクアクセス用の開口部２５が形成されるように配設される。この場合、開口部２５は、記録データの記録再生時において、カートリッジケース２内の光ディスク１０に対するディスクアクセス（記録再生装置によるチャッキングや、光学ヘッドを介してのレーザービームの照射等）が可能となるようにその開口幅（カートリッジケース２の幅方向に沿った長さ）や開口長（カートリッジケース２の挿入方向に沿った長さ）等が規定されている。
【００１４】
また、図３に示すように、両下シェル本体２１ａ，２１ｂ（下シェル４）は、底板２２における開口部２５側の中央部が、下シェル本体２１ａ，２１ｂを上シェル３から取り外した非組立状態において、組立状態における収容空間側に凹むように底板２２が湾曲している。つまり、両下シェル本体２１ａ，２１ｂがそれぞれ湾曲している。この場合、底板２２における上記の一辺の長さＬ１が１３０ｍｍ程度のときに、底板２２の凹み量（同図に示す深さＬ２）は、一例として、０．４５ｍｍ程度となっている。
【００１５】
ディスクトレイ５は、図２に示すように、円板状の底板３２と、底板３２の外縁部に立設された側壁３３とで光ディスク１０を載置可能な浅皿状に形成されて、光ディスク１０と共にカートリッジケース２内に回動可能に収容されている。この場合、ディスクトレイ５の底板３２には、下シェル４における開口部２５とほぼ同じ大きさの開口部３５が形成されている。シャッタ部材６は、ディスクトレイ５に対して回動可能に軸支された状態で、下シェル４とディスクトレイ５との間に挟み込まれるようにしてカートリッジケース２内に収容されている。このシャッタ部材６，６は、カートリッジケース２に対するディスクトレイ５の回動に伴い、ディスクトレイ５の底板３２と相俟って開口部２５を閉塞または開口する。
【００１６】
このディスクカートリッジ１の製造に際しては、まず、上シェル３、下シェル４、ディスクトレイ５およびシャッタ部材６などを射出成形する。この際に、下シェル４（下シェル本体２１ａ，２１ｂ）については、一例として、図４に示す射出成形機５０を用いて成形する。この場合、射出成形機５０は、下シェル本体２１ａ，２１ｂにおける底板２２の内面（カートリッジケース２の内面側を構成する面）を形成する第１金型５１に突き出しピン５３，５３・・が設けられると共に、下シェル本体２１ａ，２１ｂにおける底板２２の表面（カートリッジケース２の外面を構成する面）を形成する第２金型５２に樹脂材料Ｒを注入するためのゲート５４が設けられている。この射出成形機５０による下シェル本体２１ａ，２１ｂの成形に際しては、第１金型５１および第２金型５２によって形成されるキャビティ内にゲート５４を介して樹脂材料Ｒを矢印Ｂの向きで注入する。次いで、キャビティの全域に樹脂材料Ｒが行き渡った状態において、所定時間に亘って樹脂材料Ｒの注入圧力を維持する（補圧する）。次いで、第１金型５１から第２金型５２を離間させると共に、突き出しピン５３，５３・・を矢印Ｃの向きにスライドさせて成形品を第１金型５１から剥離する。これにより、下シェル４の成形が完了する。この場合、上記の補圧条件を適宜調節することにより、射出成形機５０から射出した下シェル本体２１ａ，２１ｂにおける底板２２を図３に示すように湾曲させることができる。
【００１７】
一方、ディスクカートリッジ１の組み立てに際しては、図５に示すように、光ディスク１０、ディスクトレイ５およびシャッタ部材６などを上シェル３上にセットした状態において、下シェル本体２１ａ，２１ｂ（下シェル４）を上シェル３に重ね合わせる。この際に、下シェル本体２１ａ，２１ｂの底板２２が上シェル３側に向かって凹むように湾曲しているため、上シェル３に下シェル本体２１ａ，２１ｂ（下シェル４）を重ね合わせたときには、まず、底板２２における中央部（開口部２５側の中央部）の裏面がシャッタ部材６，６の表面に接触する。次いで、下シェル本体２１ａ，２１ｂの側壁２３と上シェル３の側壁１３とが当接して嵌合するように下シェル本体２１ａ，２１ｂを上シェル３に押し付けた状態において両下シェル本体２１ａ，２１ｂを上シェル３にネジ止めする。この際には、下シェル本体２１ａ，２１ｂの底板２２が弾性変形して歪みが矯正され、この結果、底板２２が平板状となる。これにより、図２に示すように、ディスクカートリッジ１が完成する。このディスクカートリッジ１では、下シェル本体２１ａ，２１ｂにおける底板２２の中央部の裏面がシャッタ部材６，６の表面に押し付けられる結果、下シェル本体２１ａ，２１ｂとシャッタ部材６，６との間に隙間が生じる事態が回避される。また、下シェル本体２１ａ，２１ｂにおける中央部がカートリッジケース２の外側に向かって突出する事態が回避されるため、このディスクカートリッジ１の使用に際して突出部位が記録再生装置内の機構部品に引っ掛かる事態が回避される。
【００１８】
このように、このカートリッジケース２では、非組立状態において、底板２２の中央部が組立状態における収容空間側に凹むように下シェル４の底板２２が湾曲している。具体的には、このカートリッジケース２では、非組立状態において、各底板２２，２２の開口部２５側の中央部が組立状態における収容空間側に凹むように各下シェル本体２１ａ，２１ｂの各底板２２が湾曲している。したがって、このカートリッジケース２によれば、非組立状態において収容空間側に凹むように湾曲している下シェル本体２１ａ，２１ｂを上シェル３に取り付けることによって底板２２における中央部（開口部２５側の中央部）の裏面がシャッタ部材６，６の表面に押し付けられる結果、組立状態において下シェル本体２１ａ，２１ｂとシャッタ部材６，６との間に隙間が生じる事態を回避することができる。したがって、カートリッジケース２内への塵埃の侵入を阻止することができる。このため、このカートリッジケース２内に光ディスク１０を収容して構成したディスクカートリッジ１によれば、光ディスク１０に対する塵埃の付着に起因する記録再生エラーの発生を回避することができる。
【００１９】
なお、本発明は、上記した構成に限定されない。例えば、上記のディスクカートリッジ１（カートリッジケース２）では、別個独立して上シェル３に取付け可能な下シェル本体２１ａ，２１ｂを有する下シェル４を備えてカートリッジケース２を構成しているが、本発明はこれに限定されず、上シェル３と、単一の下シェル（図示せず）と備えてカートリッジケースを構成することもできる。このカートリッジケースによれば、非組立状態において、底板の中央部が組立状態における収容空間側に凹むように下シェルの底板（つまり下シェル）を湾曲させたことにより、上記のカートリッジケース２と同様にして、非組立状態において収容空間側に凹むように湾曲している下シェルを上シェル３に取り付けることによって下シェルの底板における中央部の裏面がシャッタ部材６，６の表面に押し付けられる結果、組立状態において下シェルとシャッタ部材６，６との間に隙間が生じる事態を回避することができる。したがって、カートリッジケース内への塵埃の侵入を阻止することができるため、このカートリッジケース内に光ディスクを収容して構成したディスクカートリッジによれば、光ディスクに対する塵埃の付着に起因する記録再生エラーの発生を回避することができる。
【００２０】
また、上記のディスクカートリッジ１（カートリッジケース２）では、底板２２の凹み量（深さＬ２）が０．４５ｍｍ程度となるように下シェル本体２１ａ，２１ｂが形成されているが、この深さＬ２については、底板２２の一辺の長さＬ１が１３０ｍｍのときに０．０５ｍｍ以上０．４５ｍｍ以下の範囲内となるように規定するのが好ましい。この場合、深さＬ２が０．０５ｍｍ未満のときには、組み立てが完了した状態のディスクカートリッジ１において下シェル本体２１ａ，２１ｂにおける底板２２の裏面をシャッタ部材６，６の表面に押し付ける力が弱過ぎて底板２２とシャッタ部材６，６との間に隙間が生じるおそれがある。一方、深さＬ２が０．４５ｍｍを超えるときには、底板２２の裏面をシャッタ部材６，６の表面に押し付ける力が強過ぎて底板２２とシャッタ部材６，６とのいずれかが傷付くおそれがある。したがって、深さＬ２が上記の範囲内となるように下シェル本体２１ａ，２１ｂを形成することで、底板２２およびシャッタ部材６，６の両者を傷付かせることなく、底板２２とシャッタ部材６，６との間に隙間が生じる事態を回避することができる。
【００２１】
さらに、本発明における第２シェルに形成するディスクアクセス用の開口部は、前述したディスクカートリッジ１におけるカートリッジケース２の開口部２５のような前後方向に長い長方形形状の開口形状に限定されるものではなく、カートリッジケースの左右方向に長い長方形形状の開口形状や、方形形状のカートリッジケースにおける対角線方向に長い長方形形状の開口形状であってもよい。さらに、その開口長がカートリッジケース内に収容されている光ディスク１０の半径程度となるように形成することもできる。また、本発明に係るディスクカートリッジは、上記のディスクカートリッジ１のようにカートリッジケース２内に光ディスク１０を収容したものに限定されず、光ディスク１０に代えて光磁気ディスクや磁気ディスク等の各種のディスク状情報記録媒体をカートリッジケース内に収容して構成することができる。
【図面の簡単な説明】
【００２２】
【図１】ディスクカートリッジ１の外観斜視図である。
【図２】図１におけるＡ−Ａ線断面図である。
【図３】開口部２５を構成する縁部から見た下シェル４（下シェル本体２１ａ，２１ａ）の側面図である。
【図４】下シェル４を成形する射出成形機５０（第１金型５１および第２金型５２）の側面断面図である。
【図５】上シェル３に下シェル４を重ね合わせようとしている状態のディスクカートリッジ１の側面断面図である。
【符号の説明】
【００２３】
１  ディスクカートリッジ
２  カートリッジケース
３  上シェル
４  下シェル
５  ディスクトレイ
６  シャッタ部材
１０  光ディスク
１２  天板
２１ａ，２１ｂ  下シェル本体
２２  底板
２５  開口部
【図１】
2007018626.tif 000003
【図２】
2007018626.tif 000004
【図３】
2007018626.tif 000005
【図４】
2007018626.tif 000006
【図５】
2007018626.tif 000007